(57)【要約】【課題】布式揚送研磨装置における研磨布の装着を容易化するとともに、研磨布の正常な装着状態を維持する。【解決手段】本発明は、研磨布２１を装着する際に、研磨布が正常な位置とするための布ガイド３１を、退避・復帰可能とする可動式にすることにより、研磨布の装着作業を容易に、かつ正常に装着可能としたものである。可動手段としては、ガイド部材３５はヒンジ３３等を介して取り付けることにより、扉を開いた状態においては揺動自在とし、扉を閉じた時にはガイド部材保持手段３７を介して不動状態を維持可能としてある。研磨布２１の装着作業は、ガイド部材３５を退避させた状態で行うことができるので作業がやりやすくなる。【選択図】      図４
2004173992.tif 000002
【特許請求の範囲】
【請求項１】
ベース上に立設してある揚送塔本体及びこの揚送塔本体に開閉自在に取り付けてある扉を備えた揚送塔と、上記揚送塔に回転移動可能に設けてある無端ベルトと、上記扉の内側に設けてあり、上記無端ベルトと対向する面にパチンコ玉のガイド溝が形成してある揚送ベースと、上記揚送ベースを覆うように設けてある帯状の研磨布と、上記研磨布の各縁部を上記揚送ベースのガイド溝形成面に沿って案内するように上記扉の各側板部に設けてある布ガイドとを備えているパチンコ玉の揚送研磨装置において、
上記布ガイドを構成するガイド部材は、上記研磨布を案内するガイド部が当該研磨布に対する案内可能位置に対して退避及び復帰可能に設けてある
ことを特徴とするパチンコ玉の揚送研磨装置。
【請求項２】
請求項１において、上記ガイド部材は、上記扉の側板部に揺動可能に取り付けてある
ことを特徴とするパチンコ玉の揚送研磨装置。
【請求項３】
請求項１又は請求項２のいずれかにおいて、上記ガイド部材は、一片を上記研磨布の案内用ガイド部とするＬ字形部材である
ことを特徴とするパチンコ玉の揚送研磨装置。
【請求項４】
請求項１ないし請求項３のいずれかにおいて、上記ガイド部材は、上記ガイド部となる一辺が他辺よりもやや短く形成してなる溝形部材である
ことを特徴とするパチンコ玉の揚送研磨装置。
【請求項５】
請求項１ないし請求項４のいずれかにおいて、上記ガイド部材は、上記扉を閉じた状態において、上記揚送塔本体に設けてあるガイド部材保持手段によって上記研磨布を案内可能な位置に保持可能に設けてある
ことを特徴とするパチンコ玉の揚送研磨装置。
【請求項６】
請求項１ないし請求項５のいずれかにおいて、上記ガイド部材は、上記ガイド部が上記扉の開閉動作に連動して退避及び復帰動作可能に設けてある
ことを特徴とするパチンコ玉の揚送研磨装置。
【発明の詳細な説明】
【０００１】
【発明の属する技術分野】
本発明は、パチンコ玉の揚送研磨装置、特に帯状の研磨布と無端ベルトとによりパチンコ玉を研磨しながら揚送するパチンコ玉の揚送研磨装置に関するものである。
【０００２】
【従来の技術】
パチンコ島の中枢となる揚送研磨装置には、各種の形式のものがあるが、その中で無端ベルトと研磨布とによりパチンコ玉を研磨しながら揚送する機能を有するいわゆるベルト式揚送研磨装置は、帯状の研磨布を所定の長さの範囲ずつ順送りに使用するようにしてあるところに特徴がある。図８は、無端ベルトと研磨布とパチンコ玉との関係を断面図で示しているが、揚送塔本体７１に扉７３が図示省略のヒンジを介して開閉自在に取り付けてあり、この扉はこれも図示省略のロック手段により閉じた状態にロックされている。扉７３の内側には、揚送ベース７５が固定してあるが、この揚送ベースの表面には鉛直に複数のパチンコ玉Ｂのガイド溝７５ａ，・・が形成してある。
【０００３】
上記の揚送研磨装置への研磨布７７の装着は、扉７３を開いて、研磨布を付勢状態に保持している保持手段（図示略）を解放した後、交代しようとする研磨布の範囲を引き出し、両側の縁部７７ａ，７７ａを扉７３の内側に設けてある布ガイド７９，７９と、ガイド溝形成面７５ｂとの間に挟み込むようにして研磨布７７を装着するようにしている。布ガイド７９，７９は、Ｌ字形断面の部材を扉７３の側板部７３ｂ，７３ｂの内側にビス止め又は溶着により固定してある。この時点では、同図（ａ）に示してあるように、揚送ベース７５のガイド溝形成面７５ｂは、研磨布７７に覆われており、研磨布７７がガイド溝７５ａ，・・の凹部から離れた状態となっている。揚送塔本体７１には、無端ベルト８１が研磨布７７と対向するように設けてあり、押圧ローラ８３により研磨布７７に向かって押圧されている。
【０００４】
揚送研磨装置の運転が開始されると、パチンコ玉Ｂが研磨布７７と無端ベルト８１との間に挟まれてガイド溝７５ａ，・・に沿って通過する。このため、研磨布７７は、同図（ｂ）に示すように、ガイド溝７５ａ，・・の凹部に沿うように変形し、パチンコ玉Ｂの揚送通路を形成する。この変形により研磨布７７は、幅方向に引き込まれるが、研磨布の幅を十分に取ることにより、布ガイド７９，７９から外れないようにしてある。
【０００５】
【発明が解決しようとする課題】
上記の従来技術においては、布ガイド７９，７９が扉７３に固定してあるため、研磨布７７を引き出して装着する際の操作が煩わしくなっている。特に、揚送塔の上部は高所に位置するため、作業が困難となっていることから研磨布の使用位置交代の作業効率を低くしている。また、研磨布７７の幅をガイド溝の凹部に密着状態になることを見越して広くしてあると、パチンコ玉Ｂの通過前は幅方向に弛みが生じ、あるいは両側の縁部が扉の正面板部７３ａの両側部を立ち上げてなる側板部７３ｂ，７３ｂに当接し、その縁部７７ａ，７７ａが布ガイド７９，７９から外れ、正常な研磨布の装着に支障を生じさせていることがある。本発明の目的は、研磨布の位置交代作業を容易にするとともに、容易に研磨布を正常に装着可能なパチンコ玉の揚送研磨装置を提供することにある。
【０００６】
【課題を解決するための手段】
上記の目的を達成するために、本発明は以下の手段を採用することにより以下の作用効果を生じるようにしたところに特徴がある。
【０００７】
（請求項１に記載した発明の構成）
請求項１に記載した発明は、ベース上に立設してある揚送塔本体及びこの揚送塔本体に開閉自在に取り付けてある扉を備えた揚送塔と、この揚送塔に回転移動可能に設けてある無端ベルトと、上記の扉の内側に設けてあり、前面にパチンコ玉のガイド溝が形成してある揚送ベースと、この揚送ベースを覆うように設けてある帯状の研磨布と、この研磨布の各縁部を上記の揚送ベースのガイド溝形成面に沿って案内するように扉の各側板部に設けてある布ガイドとを備えているパチンコ玉の揚送研磨装置に以下の手段を採用したものである。すなわち、本発明は、上記の布ガイドの主要素であるガイド部材を、研磨布を案内するガイド部が、この研磨布に対する案内可能位置に対して退避及び復帰可能に設けてあるところに特徴がある。
【０００８】
（請求項１に記載した発明の作用効果）
本発明に係る布ガイドは、扉に移動可能に設けてあるため、研磨布を装着する際には、ガイド部材のガイド部を退避状態とすることにより研磨布を所定の状態に容易に装着可能となる。次に、この状態の下に研磨布を所定の状態に配置させた後に、これを所定位置に復帰させることにより揚送研磨装置の良好な運転可能状態を得るようにしてある。したがって、この手段の採用により、研磨布の装着作業が容易となる。
【０００９】
（請求項２に記載した発明の特徴）
請求項２に記載した発明は、上記の布ガイドの移動手段について具体化したものである。すなわち、上記の布ガイドを構成するガイド部材を、扉の側板に揺動可能に取り付けたものとしてあるところに特徴がある。ガイド部材の移動手段としては揺動式やスライド式があるが、ここでは、安価なヒンジ等を採用してなる揺動式を採用したものである。揺動式は構成が簡単であるとともに、装着作業も容易なので、種々の形式の揚送研磨装置への採用に適するものとなっている。
【００１０】
（請求項３に記載した発明の特徴）
請求項３に記載した発明は、上記のガイド部材を、一片を研磨布の案内用ガイド部とするＬ字形部材に限定したものである。ここでＬ字形部材とは、直角に屈成してなるＬ字形断面の棒材を、所定の長さに切断したものを指している。Ｌ字形部材の一片の先端部は扉に揺動自在に支持可能となっており、他片の外面は扉が閉じられた状態になったときに、研磨布の縁部を案内するガイド面となっている。Ｌ字形部材は形状がシンプルであるため、安価に入手可能である上に、軽量であることから研磨布の装着作業も容易となる利点がある。
【００１１】
（請求項４に記載した発明の特徴）
請求項４に記載した発明も、ガイド部材の構成を具体化したものである。すなわち、ガイド部材として上記のガイド部となる一辺が他辺よりもやや短く形成してなる溝形部材を採用してあるところに特徴がある。この溝形部材は、断面形状がコ字状になっており、ガイド部が研磨布を案内可能な位置にある時に、開口部が側板と対向するようにヒンジの一辺の内側に取り付けられることにより、上記のガイド部が研磨布の案内位置に対して退避及び復帰可能に取り付けられるようになっている。ガイド部が案内可能位置に来ているときには、ガイド部となる一辺が他辺よりもやや短く形成してあるため、ガイド部の先端部と扉の側板部との間には所定幅の隙間が生じるようにしてある。
【００１２】
このガイド部材は、基本的には、上記のＬ字形部材と同様の機能を有するとともに、研磨布を案内可能な位置にある時に、上記の隙間を有することにより、研磨布の余剰部分がこの隙間からガイド部材内に区画形成されているスペース内に進入可能とする機能を有する。このため、運転中に研磨布の縁部が幅方向の中央部に引き寄せられても、十分に対応可能な幅広の研磨布を採用可能となる。これにより、研磨布が幅方向の中央部に引き寄せられても縁部が布ガイドから外れ、あるいは外れた縁部が無端ベルトに接触するようなおそれを生じなくすることができる。
【００１３】
（請求項５に記載した発明の特徴）
請求項５に記載した発明は、扉を閉じた状態において、上記の布ガイドに、研磨布を案内可能な位置に保持するガイド部材保持手段が設けてあるところに特徴がある。これは、布ガイドが可動体となっていることから揚送研磨装置の運転中に勝手に動いて無端ベルト等に接触することを防ぐための手段として採用したものである。この保持手段としては、揚送塔本体に取り付けられた圧縮ばねなどを採用し、扉を閉じることによりこの保持手段は、上記のガイド部材が正常な位置を維持可能に押さえ付けるようにしたものを採用してある。
【００１４】
（請求項６に記載した発明の特徴）
請求項６に記載した発明は、上記のガイド部材を、扉の開閉動作に連動して退避及び復帰動作可能に設けてあるところに特徴がある。ガイド部材は、上述の通り研磨布の装着を行う際には、ガイド面が揚送ベースの溝形成面から退避状態となっていると、作業がしやすくなることからこれを退避可能としてあるが、この退避動作を扉の開閉動作に連動させるようにしてさらに作業能率の向上を図ったものである。具体的手段としては、例えば、スプリング付きヒンジを介してガイド部材を扉の側板部に取り付け、このヒンジによってガイド部材を開く方向に付勢しておくものがある。これは扉が閉じた状態になっているときには、上記のガイド部材保持手段によって案内位置に静止しているが、扉が開いてガイド部材に対する拘束状態が解かれると、ヒンジの付勢力によりこのガイド部材が退避状態となるため、ガイド部材を動かす手間を省くことができる。
【００１５】
【発明の実施の形態】
（全体の構成）
初めに本発明に係る揚送研磨装置の全体の構成について、図面を参照して説明する。図１（ａ）は、研磨布を未装着の揚送研磨装置の正面の状態を示しており、同図（ｂ）は、扉が開いており、後述の研磨布２１が装着されている状態を示している。この揚送研磨装置の中枢部として、遊技島の床面に敷設されたベースプレート１上に揚送塔３が立設されている。揚送塔３は、柱状の揚送塔本体５と、これに開閉自在に取り付けられた扉７とを主要素とし、上下に設けられたプーリー９，１０に掛け回された無端ベルト１１（図３以降参照）を備えている。この無端ベルト１１は、揚送塔３の下部に設けてあるモーター１３により駆動可能となっている。扉７は、一方（図１左側）をヒンジ１５，・・により揺動自在に支持してあり、他方（図１右側）をロック手段１６，・・によりロック可能としてある。扉７の正面には、研磨布を付勢状態に保持するための研磨布保持装置１７が取り付けてある。
【００１６】
扉７の内側には、帯状の研磨布２１が装着してある。この研磨布２１は扉７の下部から扉の内側へ引き入れられ、内側で扉７の上端部まで引き上げられ、ここから扉７の外側へ引き出されている。研磨布２１の下部は、扉７の外側に取り付けられた研磨布固定部材１９によって固定され、外側へ引き出された研磨布２１の前方は、上述の研磨布保持装置１７によって付勢された状態に保持可能となっている。扉７の上端部は、拡大図に示してあるように、引き出しローラ２０を設けて研磨布２１の引き出し作業を容易化してある。
【００１７】
図２は、扉７から研磨布を除去した状態の扉７の内側を示している。図２に示すように、扉７は、正面板部７ａと、この両側部を立ち上げてなる側板部７ｂ，７ｂとからなるが、図示してあるように、全長を単一体で構成してあるものの他、複数に分割したものがある。扉７の内側には、揚送ベース２３が設けてある（図３、図５参照）。揚送ベース２３は、パチンコ玉の通路となる複数のガイド溝部２３ａ，・・が垂直に形成してある。揚送ベース２３の構成には各種のものがあるが、ここでは、単一部材を採用してある。また、長さ（高さ）についても複数の分割体を継ぎ足すようにするものもあるが、ここでは全体を単一体としてある。なお、この揚送ベース２３の扉７への取り付けは、取付部材を介して行うようにしてあるものが多いが、ここでは取付部材の図示を省略してある。
【００１８】
扉７の側板部７ｂ，７ｂの内側には、布ガイド３１が設けてある。この布ガイド３１は、研磨布２１を装着する際に、縁部が扉７の内側からはみ出さないようにするとともに、装着された研磨布２１の縁部を揚送ベース２３のガイド溝形成面２３ｂから離れないようする働きをする。これまでの布ガイドは扉の内側に固定してあったが、本発明ではこれを可動体とすることにより研磨布の装着を容易にしてあるところに特徴がある。
【００１９】
（布ガイドの第１例）
図３は、揚送塔３の中間位置（図１Ａ−Ａ線断面）の構成を示したものであるが、扉７は揚送塔本体５にヒンジ１５を介して揺動自在に取り付けられており、揚送塔本体５には、無端ベルト１１の上昇側が研磨布２１と対向可能に位置している。この無端ベルト１１は、要所に設けられた押圧ローラ２７によって研磨布側へ接近する方向の押圧力を受けるようになっている。図４に示すように、布ガイド３１は、扉７の各側板部７ｂ，７ｂの内側に取り付けてあるヒンジ３３を介してガイド部材３５を揺動自在に取り付けたものからなる。ガイド部材３５はＬ字形断面の棒材を所定の長さに切断したものを採用してある。ガイド部材３５の一片の外側はヒンジ３３に取り付けられる取り付け片３５ａとなっており、他片の外側は研磨布２１の縁部２１ａを案内するガイド部３５ｂとなっている。
【００２０】
ガイド部３５ｂは、図４に想像線で示してあるように、研磨布２１の装着時には扉７を開き、これらのガイド部材３５を実線で示してある通常の位置から退避可能としてある。研磨布２１の装着作業は、布ガイド３１が邪魔にならない状態の下で研磨布を十分に引き延ばし、かつ幅方向に拡げてからこれらの布ガイドを通常の位置に戻すことができるようにしてある。ガイド部材３５は扉７を閉じると、ガイド部材保持手段３７によりガイド部材３５のガイド部３５ｂが、研磨布２１と対向状態を維持するように付勢可能となっている。ガイド部材保持手段３７としては、揚送塔本体５の側壁部の設けた支持部５ａに一端を支持された圧縮ばねを採用してある。
【００２１】
（布ガイドの第２例）
布ガイドの第２例は、図５、図６に示すように、布ガイド５１のガイド部材５５として溝形部材を採用し、このガイド部材をヒンジ５３を介して扉の側板部７ｂに揺動自在に取り付けたものにより構成したものである。ヒンジ５３が扉７の側板部７ｂに揺動自在に取り付けてあることについては第１例と同様であるが、ガイド部材５５の研磨布２１と対向するガイド部５５ａの先端部と、側板部７ｂの内側面との間に所定幅の隙間Ｃを生じるようにしてあるところに特徴がある。この隙間Ｃは、研磨布２１の縁部２１ａが扉７の内側の幅よりも広くなっているものを使用しているときに、研磨布２１がパチンコ玉Ｂによって幅方向の中央部に向けて引き込まれない状態において、縁部２１ａを内部のスペース５５ｂ内に収納可能とするものである。
【００２２】
この布ガイド５１の採用により、幅広の研磨布を採用可能となるため、研磨布２１の縁部２１ａが布ガイドからはみ出して無端ベルト１１に接触してしまうような事態の発生を防止可能となる。また、研磨布２１が中央部に向かって引き込まれ、縁部２１ａが外側に位置するガイド溝部２３ａ上になってしまうことにより、十分な研磨作用が行うことができなくなるような事態の発生を防止することも可能となる。研磨布の装着時には、ガイド部材５５を通常の位置から退避させ、扉７が閉じた状態になっているときは、図示を省略してあるが、ガイド部材保持手段（なお、図３，４参照）で押さえ付けるようにしてあることについては第１例と同様である。
【００２３】
（布ガイドの第３例）
第３例は、図７に示すように、布ガイド６１のガイド部材６５を、扉７の開閉動作に連動して研磨布２１を案内可能な位置から退避及び復帰可能に設けたものである。布ガイド６１の連動手段としては、揺動角度が９０°以上のスプリング付きヒンジ６３を採用してある。同図（ｄ）に示すように、スプリング付きヒンジ６３は、ヒンジ板６３ａ，６３ｂが閉じた状態から開く方向にスプリング６３ｃにより付勢されるようになっているため、解放状態になっているときには９０°以上に開くことができるようになっている。また、ヒンジ板６３ａ，６３ｂとスプリング６３ｃとを接離自在としておけば、扉７を開いた時に９０°以上の角度に開いた状態にすることができる（同図（ｃ）参照）ので、研磨布の装着作業の自由度を大きくすることができる。
【００２４】
第３例における研磨布の装着作業は、第１、第２例と同様であり、同図（ａ）に示すように、扉が閉じているときには、スプリング６３ｃが圧縮された状態でヒンジ板６３ａ，６３ｂ間に挟まれているため、第１例と同様の状態になっている。この状態において、ガイド部材６５は、時計回り方向の付勢力を受けているが、ガイド部材保持手段６７によって押さえ付けられているため、変位は生じないようになっている。次に扉７を開くと、同図（ｂ）に示すように、扉の後退にともないスプリング付きヒンジ６３が開くため、ガイド部材６５が案内可能位置から離れる。例えば同図（ｃ）に示すように、扉７が開いた状態になっているときには、側板部７ｂとの角度が９０°以上に開いた状態にすることができる。この状態の下に研磨布の装着作業を行えばその作業が極めて容易となる。
【００２５】
この布ガイド６１は、扉７を閉じる際には、まず、ガイド部材６５をヒンジ板６３ｂとともに、スプリング６３ｃに当接状態としておく。次に、扉７を閉じる方向に回動させ、ガイド部材６５のガイド部６５ｂとガイド部材保持手段６７の先端部とを部分的に接触させる。最後に、スプリング付きヒンジ６３による付勢力に抗して扉７を閉じれば、同図（ａ）に示すような、研磨布２１を押さえ付けた状態が得られる。なお、ガイド部材６５は、第２例で採用しているような溝形部材としてもよい（図５参照）。
【００２６】
（その他）
以上の説明では、ガイド部材の退避及び復帰の操作は、ヒンジを介して揺動させることにより行うようにしてあるが、この操作はヒンジによらず、直接扉の側板部に設けた支軸にガイド部材の端部を支持するようにしてもよい。また、ガイド部材の移動は、揺動によって行うものに限られるものではなく、往復運動によって行うようにすることも可能である。例えば、ガイド部材の両側及び背面にガイド片を設けるとともに、扉の側板部のガイド片と対応する位置に、上記のガイド片に対応するガイドレールを設け、ガイド片をこれに沿って進退するようにしたものなどがある。
【００２７】
【発明の効果】
本発明によれば、布ガイドを研磨布の縁部を案内可能位置に対して退避し、かつ復帰可能に設けてあることから、布ガイドを退避させた状態で研磨布の装着が可能となるので、研磨布の装着作業が容易になる。
【図面の簡単な説明】
【図１】揚送研磨装置の全体の構成を示すものであり、（ａ）は外観を示す正面図、（ｂ）は扉を開いた状態を示す正面図である。
【図２】扉の内部状態を示す斜視図である。
【図３】第１例の構成を示す断面図である。
【図４】図３のＤ部拡大図である。
【図５】第２例の構成を示す断面図である。
【図６】図５のＦ部拡大図である。
【図７】第３例の構成を示すものであり、（ａ）は要部の断面図、（ｂ）は扉が開き始めた状態を示す断面図、（ｃ）は扉が開いたときの状態を示す断面図、（ｄ）はスプリング付きヒンジの正面図である。
【図８】従来技術例の構成を示すものであり、（ａ）はパチンコ玉通過前の状態を示す断面図、（ｂ）はパチンコ玉通過後の状態を示す断面図である。
【符号の説明】
１                      ベースプレート
３                      揚送塔
５                      揚送塔本体
７                      扉
７ｂ                    側板部
１１                    無端ベルト
１７                    研磨布保持装置
１９                    研磨布固定部材
２１                    研磨布
２１ａ                  縁部
２３                    揚送ベース
２３ａ                  ガイド溝部
２３ｂ                  溝部形成面
２７                    押圧ローラ
３１，５１，６１        布ガイド
３３，５３，６３        ヒンジ
３５，５５，６５        ガイド部材
３５ｂ，５５ａ，６５ｂ  ガイド部
３７，６７              ガイド部材保持手段（圧縮ばね）
Ｃ                      隙間
【図１】
2004173992.tif 000003
【図２】
2004173992.tif 000004
【図３】
2004173992.tif 000005
【図４】
2004173992.tif 000006
【図５】
2004173992.tif 000007
【図６】
2004173992.tif 000008
【図７】
2004173992.tif 000009
【図８】
2004173992.tif 000010